(57)【要約】      （修正有）【課題】レバーをロック解除して回動させる際の作業性向上を図る。【解決手段】レバー式コネクタＡは、コネクタ本体１０と、基端部がコネクタ本体１０に回動可能に支持され、先端部３３に回動操作用の回動操作部３４が形成されたレバー３０と、回動操作部３４の外面５８に配され、回動操作のときに指を当てる指当て面５９と、コネクタ本体１０に形成され、レバー３０に係止することでレバー３０を回動規制状態にロックする弾性ロック片と、弾性ロック片に形成され、弾性ロック片をレバー３０から解離する方向へ押し操作するためのロック解除操作部５３とを備え、弾性ロック片とレバー３０が係止している状態で、ロック解除操作部５３がレバー３０の外面５８に露出している。【選択図】図５
2018045930.tif 000002
【特許請求の範囲】
【請求項１】
コネクタ本体と、
基端部が前記コネクタ本体に回動可能に支持され、先端部に回動操作用の回動操作部が形成されたレバーと、
前記回動操作部の外面に配され、回動操作のときに指を当てる指当て面と、
前記コネクタ本体に形成され、前記レバーに係止することで前記レバーを回動規制状態にロックする弾性ロック片と、
前記弾性ロック片に形成され、前記弾性ロック片を前記レバーから解離する方向へ押し操作するためのロック解除操作部とを備え、
前記弾性ロック片と前記レバーが係止している状態で、前記ロック解除操作部が前記レバーの前記外面に露出していることを特徴とするレバー式コネクタ。
【請求項２】
前記弾性ロック片と前記レバーが係止している状態では、前記ロック解除操作部が、前記指当て面に開口する貫通孔から突出していることを特徴とする請求項１記載のレバー式コネクタ。
【請求項３】
前記弾性ロック片と前記レバーが係止している状態では、前記ロック解除操作部と前記指当て面が、前記レバーの回動方向と交差する方向に隣り合うように配されていることを特徴とする請求項１又は請求項２記載のレバー式コネクタ。
【請求項４】
前記ロック解除操作部が、前記レバーの回動方向に沿ったブレード状をなしていることを特徴とする請求項１ないし請求項３のいずれか１項に記載のレバー式コネクタ。
【請求項５】
前記指当て面が前記レバーの回動方向に沿った略平面であることを特徴とする請求項４記載のレバー式コネクタ。
【請求項６】
前記弾性ロック片と前記レバーが係止している状態では、前記回動操作部が前記弾性ロック片を覆い隠すように配されることを特徴とする請求項１ないし請求項５のいずれか１項に記載のレバー式コネクタ。
【発明の詳細な説明】
【技術分野】
【０００１】
本発明は、レバー式コネクタに関するものである。
【背景技術】
【０００２】
特許文献１には、ハウジングに、ハウジングから導出した電線を屈曲させるワイヤカバーと、初期位置と嵌合位置との間での回動が可能なレバーと、レバーと連動してスライドするスライダとを設けたレバー式コネクタが開示されている。レバーを初期位置から嵌合位置へ回動させると、スライダのカム溝に摺接する相手側コネクタがハウジングと嵌合される。嵌合位置まで回動させたレバーは、ワイヤカバーに形成した弾性撓み可能なロック部材の係止作用により、嵌合位置に保持される。嵌合位置のレバーを初期位置へ回動させる際には、ロック部材の解除用凸部を指で押すことによりロック部材を弾性変形させてロックを解除し、引き続いて、解除用凸部を押している指でレバーの連結部の回動操作面を押すことにより、レバーを初期位置側へ動かす。
【先行技術文献】
【特許文献】
【０００３】
【特許文献１】特開２００９−２４５６０９号公報
【発明の概要】
【発明が解決しようとする課題】
【０００４】
上記のレバー式コネクタでは、回動操作面と解除用凸部が、レバーの回動方向に間隔を空けて並ぶように配置されている。そのため、回動操作面を押そうとする際に、解除用凸部を押している力が緩んでロック部材が弾性復帰し、再びロックが掛かる虞がある。この場合、指を解除用凸部に戻し、ロック解除の操作をやり直さなければならず、作業性が良くない。
【０００５】
また、解除用凸部の外面のうち指で押されるロック解除操作面は、レバーの回動方向に沿った平面状をなしている。そのため、ロック解除操作面を押している指を、回動操作面側へずらすときの摩擦抵抗が大きく、作業性が良くない。
【０００６】
本発明は上記のような事情に基づいて完成されたものであって、レバーをロック解除して回動させる際の作業性向上を図ることを目的とする。
【課題を解決するための手段】
【０００７】
第１の発明は、
コネクタ本体と、
基端部が前記コネクタ本体に回動可能に支持され、先端部に回動操作用の回動操作部が形成されたレバーと、
前記回動操作部の外面に配され、回動操作のときに指を当てる指当て面と、
前記コネクタ本体に形成され、前記レバーに係止することで前記レバーを回動規制状態にロックする弾性ロック片と、
前記弾性ロック片に形成され、前記弾性ロック片を前記レバーから解離する方向へ押し操作するためのロック解除操作部とを備え、
前記弾性ロック片と前記レバーが係止している状態で、前記ロック解除操作部が前記レバーの前記外面に露出しているところに特徴を有する。
【０００８】
第２の発明は、
コネクタ本体と、
基端部が前記コネクタ本体に回動可能に支持され、先端部に回動操作用の回動操作部が形成されたレバーと、
前記回動操作部に形成され、回動操作のときに指を当てる指当て面と、
前記コネクタ本体に形成され、前記レバーに係止することで前記レバーを回動規制状態にロックする弾性ロック片と、
前記弾性ロック片に形成され、前記弾性ロック片を前記レバーから解離する方向へ押し操作するためのロック解除操作部とを備え、
前記弾性ロック片と前記レバーが係止している状態で、前記指当て面と前記ロック解除操作部が、前記レバーの回動方向と交差する方向に隣り合うように配されているところに特徴を有する。
【０００９】
第３の発明は、
コネクタ本体と、
基端部が前記コネクタ本体に回動可能に支持され、先端部に回動操作用の回動操作部が形成されたレバーと、
前記コネクタ本体に形成され、前記レバーに係止することで前記レバーを回動規制状態にロックする弾性ロック片と、
前記弾性ロック片に形成され、前記弾性ロック片を前記レバーから解離する方向へ押し操作するためのロック解除操作部とを備え、
前記ロック解除操作部は、前記レバーの回動方向に沿ったブレード状をなしているところに特徴を有する。
【発明の効果】
【００１０】
第１の発明は、ロック解除操作部が、指当て面と同じく回動操作部の外面に配されるので、指を指当て面に当てたまま、その指でロック解除操作部を押すことが可能である。ロックを解除する操作からレバーを回動させる操作へ移行する際に、ロック解除操作部を押す力が緩む虞がないので、作業性に優れている。
【００１１】
第２の発明は、指当て面とロック解除操作部が、レバーの回動方向と交差する方向に隣り合っているので、指を指当て面に当てたまま、その指でロック解除操作部を押すことが可能である。ロックを解除する操作からレバーを回動させる操作へ移行する際に、ロック解除操作部を押す力が緩む虞がないので、作業性に優れている。
【００１２】
第３の発明は、１本の指でロック解除操作部を押し操作しながらレバーを回動させる際に、ブレード状のロック解除操作部と指との間の摩擦抵抗が小さい。ロック解除操作部を押している指を、押した状態のままで回動方向へ滑らせることができるので、作業性がよい。
【図面の簡単な説明】
【００１３】
【図１】実施例１のレバー式コネクタにおいてレバーが嵌合位置にある状態をあらわす側面図
【図２】レバーが嵌合位置にある状態をあらわす側断面図
【図３】レバー式コネクタと相手側コネクタが嵌合した状態をあらわす側断面図
【図４】レバー式コネクタと相手側コネクタの嵌合を開始した状態をあらわす側断面図
【図５】レバーが嵌合位置にある状態をあらわす正面図
【図６】図５のＸ−Ｘ線断面図
【図７】図５のＹ−Ｙ線断面図
【図８】ロック解除操作部が押し操作されたロック解除状態をあらわすＸ−Ｘ線相当部分拡大断面図
【図９】ロック解除操作部が押し操作されたロック解除状態をあらわすＹ−Ｙ線相当部分拡大断面図
【図１０】ロック解除後にレバーが初期位置側への回動を開始した状態をあらわすＸ−Ｘ線相当部分拡大断面図
【図１１】電線カバーの側面図
【図１２】電線カバーの平面図
【図１３】電線カバーの正面図
【図１４】図１３のＺ−Ｚ線断面図
【図１５】レバーの斜視図
【発明を実施するための形態】
【００１４】
第１の発明は、前記弾性ロック片と前記レバーが係止している状態では、前記ロック解除操作部が、前記指当て面に開口する貫通孔から突出していてもよい。この構成によれば、ロック解除操作部が指当て面に隣接しているので、ロック解除操作部を押す力が緩み難く、確実にロックが解除される。
【００１５】
第１の発明は、前記弾性ロック片と前記レバーが係止している状態では、前記ロック解除操作部と前記指当て面が、前記レバーの回動方向と交差する方向に隣り合うように配されていてもよい。この構成によれば、指を指当て面に当てたまま、その指でロック解除操作部を押すことが可能である。ロックを解除する操作からレバーを回動させる操作へ移行する際に、ロック解除操作部を押す力が緩む虞がないので、確実にロックが解除される。
【００１６】
第１の発明は、前記ロック解除操作部が、前記レバーの回動方向に沿ったブレード状をなしていてもよい。この構成によれば、１本の指でロック解除操作部を押し操作しながらレバーを回動させる際に、ブレード状のロック解除操作部と指との間の摩擦抵抗が小さい。ロック解除操作部を押している指を、押した状態のままで回動方向へ滑らせることができるので、作業性がよい。
【００１７】
第１の発明は、前記指当て面が前記レバーの回動方向に沿った略平面であってもよい。この構成によれば、指当て面は、ブレード状のロック解除操作部に比べて摩擦抵抗が大きくて指が滑り難いので、レバーの回動を開始するときの作業性がよい。
【００１８】
第１の発明は、前記弾性ロック片と前記レバーが係止している状態では、前記回動操作部が前記弾性ロック片を覆い隠すように配されてもよい。この構成によれば、弾性ロック片を異物の干渉から保護できる。
【００１９】
第２の発明は、前記弾性ロック片と前記レバーが係止している状態では、前記ロック解除操作部が、前記指当て面に開口する貫通孔から突出していてもよい。この構成によれば、ロック解除操作部が指当て面に隣接しているので、ロック解除操作部を押す力が緩み難く、確実にロックが解除される。
【００２０】
第２の発明は、前記ロック解除操作部が、前記レバーの回動方向に沿ったブレード状をなしていてもよい。この構成によれば、１本の指でロック解除操作部を押し操作しながらレバーを回動させる際に、ブレード状のロック解除操作部と指との間の摩擦抵抗が小さい。ロック解除操作部を押している指を、押した状態のままで回動方向へ滑らせることができるので、作業性がよい。
【００２１】
第２の発明は、前記指当て面が前記レバーの回動方向に沿った略平面であってもよい。この構成によれば、指当て面は、ブレード状のロック解除操作部に比べて摩擦抵抗が大きくて指が滑り難いので、レバーの回動を開始するときの作業性がよい。
【００２２】
第２の発明は、前記弾性ロック片と前記レバーが係止している状態では、前記回動操作部が前記弾性ロック片を覆い隠すように配されてもよい。この構成によれば、弾性ロック片を異物の干渉から保護できる。
【００２３】
第３の発明は、前記回動操作部の外面には、前記回動操作部の押し操作とレバーの回動操作をするときに指を当てる指当て面が形成されており、前記指当て面が前記レバーの回動方向に沿った略平面であってもよい。この構成によれば、指当て面は、ブレード状のロック解除操作部に比べて摩擦抵抗が大きくて指が滑り難いので、レバーの回動を開始するときの作業性がよい。
【００２４】
第３の発明は、前記弾性ロック片と前記レバーが係止している状態では、前記ロック解除操作部が前記レバーの前記外面に露出していてもよい。この構成によれば、ロック解除操作部が、指当て面と同じく回動操作部の外面に配されるので、指を指当て面に当てたまま、その指でロック解除操作部を押すことが可能である。ロックを解除する操作からレバーを回動させる操作へ移行する際に、ロック解除操作部を押す力が緩む虞がないので、作業性に優れている。
【００２５】
第３の発明は、前記弾性ロック片と前記レバーが係止している状態では、前記ロック解除操作部が、前記指当て面に開口する貫通孔から突出していてもよい。この構成によれば、ロック解除操作部が指当て面に隣接しているので、ロック解除操作部を押す力が緩み難く、確実にロックが解除される。
【００２６】
第３の発明は、前記弾性ロック片と前記レバーが係止している状態では、前記ロック解除操作部と前記指当て面が、前記レバーの回動方向と交差する方向に隣り合うように配されていてもよい。この構成によれば、指を指当て面に当てたまま、その指でロック解除操作部を押すことが可能である。ロックを解除する操作からレバーを回動させる操作へ移行する際に、ロック解除操作部を押す力が緩む虞がないので、確実にロックが解除される。
【００２７】
第３の発明は、前記弾性ロック片と前記レバーが係止している状態では、前記回動操作部が前記弾性ロック片を覆い隠すように配されてもよい。この構成によれば、弾性ロック片を異物の干渉から保護することができる。
【００２８】
＜実施例１＞
以下、本発明を具体化した実施例１を図１〜図１５を参照して説明する。尚、以下の説明において、前後の方向については、図１〜４，６〜１２における左方を前方と定義する。上下の方向については、図１〜１１，１３，１４にあらわれる向きを、そのまま上方、下方と定義する。
【００２９】
本実施例１のレバー式コネクタＡは、倍力機構を備えていて、雄側の相手側コネクタＢに嵌合されるものである。相手側コネクタＢは、図３，４に示すように、相手側ハウジング７０と、相手側ハウジング７０に取り付けた雄端子（図示省略）とを備えている。相手側ハウジング７０には、前後方向に長く上方に開放された角筒状のフード部７１を有している。フード部７１の左右両外側面には、夫々、３つの突起状をなすカムフォロア７２が前後に間隔を空けて形成されている。レバー式コネクタＡは、相手側コネクタＢに対しその上方から嵌合される。
【００３０】
レバー式コネクタＡは、図２に示すように、コネクタ本体１０と、左右対称なレバー３０と、左右対称な一対のスライダ４０とを備えている。コネクタ本体１０は、コネクタハウジング１１と、電線カバー２０とを組み付けて構成されている。コネクタハウジング１１は、端子収容部１２と、端子収容部１２の前後両面と左右両側面を包囲する筒状嵌合部１３とを備えている。端子収容部１２の外周と筒状嵌合部１３の内周との間の空間は、コネクタハウジング１１の下面側に開放された嵌合空間１４となっている。端子収容部１２の内部には複数の雌形の端子金具１５が収容され、各端子金具１５の上端部に固着した電線１６は、コネクタハウジング１１の上面から上方へ導出されている。
【００３１】
コネクタハウジング１１の後端部には、レバー３０を回動可能に支持するための軸受部（図示省略）が形成されている。筒状嵌合部１３を構成する左右両側壁部には、図３，４に示すように、左右対称な一対のスライダ４０を前後方向（レバー式コネクタＡと相手側コネクタＢとの嵌合方向と直交する方向）へ案内するための左右一対のガイド凹部１７が形成されている。左右両側壁部の下端部には、夫々、側壁部の下端面からガイド凹部１７内に連通する３つの進入口１８が前後に間隔を空けて形成されている。
【００３２】
電線カバー２０は、図１〜７に示すように、コネクタハウジング１１に対しその上面（電線１６が導出される面）を覆うように取り付けられている。電線カバー２０は、図１１〜１４に示すように、前面壁２１と左右両側面壁２２と上面壁２３とを有し、電線カバー２０の内部は、電線カバー２０の下面及び後面に開放された転向空間２４となっている。コネクタハウジング１１から上向きに導出された複数本の電線１６は、転向空間２４内で後方へ転向され、電線カバー２０の後方外部へ引き出されている。
【００３３】
レバー３０は、図１５に示すように、左右対称な長尺板状をなす一対のアーム部３１と、レバー３０（左右両アーム部３１）の基端部３２同士を連結する概ね板状の連結部３５と、レバー３０（左右両アーム部３１）の先端部３３同士を連結する概ね板状の回動操作部３４とを有する。レバー３０は、コネクタ本体１０を包囲するように配された方形のフレーム状（枠状）をなす合成樹脂製の単一部品である。連結部３５には、左右対称な一対の回動軸３６が形成されている。レバー３０は、一対の回動軸３６を一対の軸受部に嵌合させることにより、コネクタハウジング１１に回動可能に支持されている。レバー３０は、回動軸３６を支点として、初期位置（図４を参照）と、嵌合位置（図１〜３，５〜７を参照）との間で回動し得るようになっている。
【００３４】
レバー３０が初期位置にあるとき、レバー３０は、アーム部３１を上下方向（鉛直方向）に起立させた姿勢をとる。このとき、回動軸３６はレバー３０の下端部に位置し、回動操作部３４はレバー３０の上端部に位置する。レバー３０が嵌合位置にあるとき、レバー３０は、アーム部３１をその前端側（回動操作部３４側）が後端側（連結部３５側）より高くなるように傾斜させた姿勢をとる。
【００３５】
図３，４に示すように、左右両アーム部３１の基端部３２の内面のうち、連結部３５よりも少し回動操作部３４側の位置には、左右対称な一対の駆動軸３７が形成されている。レバー３０が嵌合位置にあるとき、駆動軸３７は、回動軸３６よりも上方で且つ回動軸３６よりも前方に位置する。レバー３０が初期位置にあるとき、駆動軸３７の軸心は、回動軸３６よりも上方で且つ回動軸３６よりも後方に位置する。レバー３０が嵌合位置から初期位置へ回動するのに伴い、駆動軸３７は、回動軸３６よりも上方の領域を円弧形の経路で後方へ変位する。
【００３６】
一対のスライダ４０は、合成樹脂製であり、板厚方向を左右方向に向けた左右対称な略平板状をなす。一対のスライダ４０は、コネクタハウジング１１の一対のガイド凹部１７内に収容され、前後方向へのスライドを可能に取り付けられている。一対のスライダ４０の内面には、左右対称な一対の従動凹部４１が形成されている。従動凹部４１は、スライダ４０の後端部に配されている。従動凹部４１は、上下方向に長い長溝状をなし、スライダ４０の上端面に開放されている。一対の従動凹部４１には、一対の駆動軸３７がスライダ４０の上方から収容されている。
【００３７】
従動凹部４１に収容された駆動軸３７は、スライダ４０に対して前後方向への相対変位は規制されているが、スライダ４０に対する上下方向への相対変位、及び駆動軸３７を中心とする回転は可能とされている。駆動軸３７が従動凹部４１に嵌合することにより、レバー３０が初期位置から嵌合位置へ回動するのに連動して、スライダ４０が、初期位置から嵌合位置へ平行移動する。
【００３８】
一対のスライダ４０の内面（嵌合空間１４に臨む面）には、夫々、上下方向（レバー式コネクタＡと相手側コネクタＢとの嵌合方向）及び前後方向（スライダ４０のスライド方向）の両方向に対して傾斜した３つのカム溝４２が、前後に間隔を空けて形成されている。カム溝４２の下端部の入口は、スライダ４０の下端面に開放されている。レバー３０とスライダ４０が初期位置にあるとき、３つのカム溝４２の入口は、３つの進入口１８と連通するように位置する。
【００３９】
レバー式コネクタＡと相手側コネクタＢを嵌合する際には、レバー３０とスライダ４０を初期位置へ移動させておく。この状態で、図４に示すように、端子収容部１２をフード部７１に浅く嵌合し、カムフォロア７２をカム溝４２の入口に進入させる。この後、レバー３０の回動操作部３４を摘んでレバー３０を嵌合位置側へ回動させる。レバー３０は、電線カバー２０の外面に沿うように変位する。
【００４０】
回動軸３６から駆動軸３７までの距離は、回動軸３６から回動操作部３４までの距離より短いので、テコの原理による倍力作用により、回動操作部３４に付与する操作力より大きな力でスライダ４０が嵌合位置側へ動かされる。スライダ４０の移動に伴い、カム溝４２とカムフォロア７２との摺接に起因する倍力作用により、コネクタハウジング１１が相手側コネクタＢ側へ引き寄せられる。そして、図３に示すように、レバー３０とスライダ４０が嵌合位置に到達すると、レバー式コネクタＡと相手側コネクタＢの嵌合が完了する。
【００４１】
レバー式コネクタＡと相手側コネクタＢを離脱する際には、レバー３０を嵌合位置から初期位置へ回動させると、それに伴ってスライダ４０も嵌合位置から初期位置へスライドする。スライダ４０の移動に伴い、倍力作用によってレバー式コネクタＡと相手側コネクタＢが離脱される。
【００４２】
本実施例１のレバー式コネクタＡは、レバー３０を嵌合位置にロックするためのロック手段５０を備えている。図６〜１０に示すように、ロック手段５０は、電線カバー２０（コネクタ本体１０）に形成した弾性ロック片５１と、電線カバー２０に形成した弾性規制片５４と、レバー３０の回動操作部３４とによって構成されている。
【００４３】
弾性ロック片５１は、電線カバー２０の前面壁２１の上端から、前面壁２１の外面（前面）に沿って下方へ片持ち状に延出した板状をなしている。弾性ロック片５１は電線カバー２０の左右方向中央部に配され、弾性ロック片５１の幅寸法（左右方向の寸法）は、前面壁２１の幅寸法よりも小さい。弾性ロック片５１は、前面壁２１に接近するように後方へ弾性撓みし得るようになっている。弾性ロック片５１の下端部（延出端部）の前面（外面）には、左右対称な一対のロック突起５２が左右方向に間隔を空けて形成されている。
【００４４】
弾性ロック片５１の前面（外面）には、左右対称な一対のロック解除操作部５３が形成されている。一対のロック解除操作部５３は、上下方向（レバー３０が嵌合位置から初期位置側へ回動するときの回動方向に沿った方向）に長いブレード状（板状）をなし、弾性ロック片５１の外面から略直角に前方へ突出した形態である。一対のロック解除操作部５３の上下方向の形成範囲は、弾性ロック片５１のほぼ全長に亘っている。ロック解除操作部５３の板厚方向に視た形状（側面視形状）は、概ね台形をなしている。弾性ロック片５１からのロック解除操作部５３の突出寸法は、上下方向中央部領域で最大であり、上端側領域では上方に向かって次第に突出寸法が小さくなり、上端側領域では上方に向かって次第に突出寸法が小さくなる。
【００４５】
一対のロック解除操作部５３は、左右方向（レバー３０が嵌合位置から初期位置側へ回動するときの回動方向と直交する方向）において一対のロック突起５２の間に配されている。左側のロック解除操作部５３の下端部における左端部は、左側のロック突起５２の右端部に連なっており、右側のロック解除操作部５３の下端部における右端部は、右側のロック突起５２の左端部に連なっている。一対のロック解除操作部５３は、左右方向に所定の間隔を空けて配置されている。
【００４６】
弾性規制片５４は、電線カバー２０の前面壁２１の下端から、前面壁２１の外面に沿って上方へ片持ち状に延出した板状をなしている。弾性規制片５４は、弾性ロック片５１と同じく電線カバー２０の左右方向中央部に配され、弾性規制片５４の延出端部（上端部）は、弾性ロック片５１の下端部より下方に位置している。弾性規制片５４の幅寸法は、前面壁２１の幅寸法よりも小さい。弾性規制片５４は、前面壁２１に接近するように後方へ弾性撓みし得るようになっている。弾性規制片５４の上端部の前面には、規制突起５５が弾性規制片５４の全幅に亘って形成されている。
【００４７】
図８〜１０に示すように、回動操作部３４は、全体として厚肉の板状をなす。本実施例では、回動操作部３４における回動軸３６側に臨む面を「回動操作部３４の内面５６」と定義する。回動操作部３４の内面５６は、回動操作部３４の回動軌跡円に外接する向き(回動軸３６を中心とする径方向と略直交する向き）である。回動操作部３４の内面５６には、係止突起５７が形成されている。係止突起５７は、回動操作部３４の内面５６のうちレバー３０の嵌合位置側への回動方向前方の端部に位置している。レバー３０が嵌合位置にあるとき、係止突起５７は、回動操作部３４の内面５６の下端部に位置する。
【００４８】
また、回動操作部３４のうち内面５６と反対側の面を「外面５８」と定義する。回動操作部３４の外面５８も、内面５６と同じく回動操作部３４の回動軌跡円に外接する向きである。レバー３０が初期位置と嵌合位置との間で回動する過程では、回動操作部３４の外面５８は、常に外部に露出している。回動操作部３４の外面５８のうち左右方向中央部は略方形に凹んでおり、外面５８のうち凹んだ領域は方形の指当て面５９となっている。指当て面５９の幅寸法は、弾性ロック片５１及び弾性規制片５４の幅寸法よりも大きい。
【００４９】
回動操作部３４には、左右対称な一対の貫通孔６０が形成されている。一対の貫通孔６０は、上下方向に細長いスリット状をなし、回動操作部３４の内面５６（外面５８と反対側の面）から指当て面５９に貫通した形態である。つまり、貫通孔６０は指当て面５９に開口している。上下方向における貫通孔６０の形成範囲は、指当て面５９の上下方向における概ね全領域に亘っている。一対の貫通孔６０は、左右方向において一対のロック解除操作部５３と対応するように配置されている。
【００５０】
指当て面５９の面積は、親指の第１関節より先端側の部分で覆える程度の大きさである。指当て面５９は、一対の貫通孔６０を境界として左右方向に３つの領域に区画されている。即ち、指当て面５９は、一対の貫通孔６０の間に挟まれた中央部当て面５９Ｃと、中央部当て面５９Ｃの両側に位置する一対の側部当て面５９Ｓとから構成される。
【００５１】
上下方向における指当て面５９の形成範囲は、回動操作部３４の外面５８の上端部及び下端部を除いた領域である。回動操作部３４のうち指当て面５９より下方の領域は、指当て面５９に対して相対的に外面５８側へ突出した形態の嵌合用指掛け部６１となっている。レバー式コネクタＡと相手側コネクタＢを嵌合する際には、作業者は、嵌合用指掛け部６１に指を掛けてレバー３０を初期位置から嵌合位置へ回動させる。回動操作部３４のうち指当て面５９より上方の領域は、指当て面５９に対して相対的に外面５８側へ突出した形態の離脱用指掛け部６２となっている。レバー式コネクタＡと相手側コネクタＢを離脱する際には、作業者は、離脱用指掛け部６２に指を掛けてレバー３０を嵌合位置から初期位置へ回動させる。
【００５２】
レバー３０が嵌合位置にある状態では、図６に示すように、回動操作部３４の係止突起５７が、弾性ロック片５１のロック突起５２に係止することにより、レバー３０が初期位置側へ回動することを規制される。同じくレバー３０が嵌合位置にある状態では、係止突起５７が、弾性規制片５４の規制突起５５に係止することにより、レバー３０が初期位置とは反対側へ回動することを規制される。この弾性ロック片５１と弾性規制片５４への係止により、レバー３０は嵌合位置において回動を規制された状態にロックされる。この状態では、弾性ロック片５１と弾性規制片５４は弾性変形していない。
【００５３】
レバー３０が嵌合位置にロックされた状態では、図５、６に示すように、回動規制部が、弾性ロック片５１のほぼ全体を覆い隠すように位置するので、弾性ロック片５１は、回動操作部３４により異物の干渉から保護される。また、図６，７に示すように、弾性ロック片５１から前方に突出する一対のロック解除操作部５３が、回動操作部３４の内面５６側から一対の貫通孔６０内に進入し、ロック解除操作部５３の突出端部が指当て面５９よりも前方へ突出した状態となる。回動操作部３４を前方から見ると、図５に示すように、一対のロック解除操作部５３が、回動操作部３４の外面５８のうち指当て面５９において露出している。また、一対のロック解除操作部５３と、指当て面５９を構成する中央部当て面５９Ｃ及び一対の側部当て面５９Ｓとが左右方向（レバー３０の回動方向と交差する方向）に交互に隣り合うように並ぶ。
【００５４】
レバー式コネクタＡと相手側コネクタＢを離脱する際には、作業者がいずれか１本の指で一対のロック解除操作部５３を押す操作（ロック解除操作）を開始する。ロック解除操作部５３を押す指が指当て面５９と離脱用指掛け部６２に当たると、ロック解除操作が完了し、指当て面５９から前方へ突出していたロック解除操作部５３の突出端部が、図９に示すように貫通孔６０内に収容される。ロック解除操作部５３が押されると、弾性ロック片５１が回動操作部３４から遠ざかるように弾性変形し、図８に示すように、ロック突起５２が、前面壁２１側へ退避して回動操作部３４の係止突起５７から解離し、ロック解除状態となる。これにより、レバー３０は初期位置側への回動が許容される。
【００５５】
ロック解除状態では、指当て面５９と離脱用指掛け部６２の下面に当てている指に、一対のロック解除操作部５３の突出端縁が弾性ロック片５１の弾性復元力によって弾性的に当接する。この状態から、指を指当て面５９と離脱用指掛け部６２に当てたままで、レバー３０に回動操作力を付与する。この回動操作力は、離脱用指掛け部６２に対する指の引っ掛かりに加え、指と指当て面５９との間の摩擦抵抗によっても生じる。
【００５６】
レバー３０に回動操作力を加えると、レバー３０が初期位置側への回動を開始する。ここで、一対のロック解除操作部５３は指当て面５９上に露出し、指当て面５９とロック解除操作部５３とレバー３０の回動方向と交差する方向に隣接しているので、レバー３０の回動が開始する時点で、一対のロック解除操作部５３が指で押されたロック解除状態に維持される。レバー３０の回動開始直後もロック解除状態が保たれるので、図１０に示すように、係止突起５７がロック突起５２に乗り上がった状態となる。この状態では、仮に指がロック解除操作部５３から外れても、弾性ロック片５１（ロック突起５２）によってレバー３０の回動が規制されることはない。
【００５７】
レバー式コネクタＡは、コネクタ本体１０と、レバー３０とを備えている。レバー３０は、その基端部３２においてコネクタ本体１０に回動可能に支持され、レバー３０の先端部３３に回動操作用の回動操作部３４が形成されている。回動操作部３４の外面５８には、回動操作のときに指を当てる指当て面５９が配されている。コネクタ本体１０には、レバー３０に係止することでレバー３０を回動規制状態にロックする弾性ロック片５１が形成され、弾性ロック片５１には、弾性ロック片５１をレバー３０から解離する方向へ押し操作するためのロック解除操作部５３が形成されている。
【００５８】
弾性ロック片５１とレバー３０が係止してレバー３０が嵌合位置にロックされている状態では、ロック解除操作部５３がレバー３０の外面５８に露出している。つまり、ロック解除操作部５３は、指当て面５９と同じく回動操作部３４の外面５８に配されている。また、指当て面５９を構成する中央部当て面５９Ｃ及び一対の側部当て面５９Ｓと、一対のロック解除操作部５３とが、レバー３０の回動方向と交差する左右方向に隣り合って交互に並ぶように配されている。この構成によれば、指を指当て面５９に当てたまま、その指でロック解除操作部５３を押してロック解除状態を保持することが可能である。ロックを解除する操作からレバー３０を回動させる操作へ移行する際に、ロック解除操作部５３を押す力が緩む虞がないので、作業性に優れている。
【００５９】
また、弾性ロック片５１とレバー３０が係止してレバー３０が嵌合位置にロックされている状態では、一対のロック解除操作部５３が、指当て面５９に開口する貫通孔６０から突出している。この構成は、ロック解除操作部５３が、指当て面５９の中央部当て面５９Ｃ及び一対の側部当て面５９Ｓに隣接することを意味する。したがって、ロックを解除する操作からレバー３０を回動させる操作へ移行する際に、ロック解除操作部５３を押す力が緩み難く、確実にロックが解除される。
【００６０】
また、ロック解除操作部５３は、レバー３０の回動方向に沿ったブレード状をなしている。この構成によれば、１本の指でロック解除操作部５３を押し操作しながらレバー３０を回動させる際に、ブレード状のロック解除操作部５３と指との間の摩擦抵抗が小さい。ロック解除操作部５３を押している指を、押した状態のままで回動方向へ抵抗を受けることなく滑らせることができるので、作業性がよい。
【００６１】
また、指当て面５９は、レバー３０の回動方向に沿った略平面又は曲率半径の大きい円弧面である。指当て面５９と指との接触面積は、ブレード状のロック解除操作部５３と指との接触面積よりも大きいので、指当て面５９と指との間の摩擦抵抗は、ロック解除操作部５３と指との間の摩擦抵抗に比べて大きい。これにより、指が指当て面５９に対して滑り難くなっているので、レバー３０の回動を開始するときの作業性がよい。
【００６２】
＜第１の発明に含まれる他の実施例＞
第１の発明は上記記述及び図面によって説明した実施例１に限定されるものではなく、例えば次のような実施例も第１の発明の技術的範囲に含まれる。  
（１）上記実施例１では、回動操作部に離脱用指掛け部と嵌合用指掛け部を形成したが、回動操作部は、離脱用指掛け部と嵌合用指掛け部のうち少なくとも一方の指掛け部を有しない形態であってもよい。  
（２）上記実施例１では、弾性ロック片とレバーが係止している状態で、ロック解除操作部が指当て面の貫通孔から突出するが、貫通孔を形成せず、ロック解除操作部を指当て面の外周縁に沿って配されるようにしてもよい。  
（３）上記実施例１では、弾性ロック片とレバーが係止している状態で、ロック解除操作部と指当て面がレバーの回動方向と交差する方向に隣り合うように配されるが、ロック解除操作部と指当て面は、レバーの回動方向に隣り合うように配されていてもよい。  
（４）上記実施例１では、ロック解除操作部が、レバーの回動方向に沿ったブレード状をなしているが、ロック解除操作部は、ブロック状に突出した形態であってもよい。  
（５）上記実施例１では、指当て面がレバーの回動方向に沿った略平面であるが、指当て面は、レバーの回動方向に対して大きく傾いた略平面や、曲面であってもよい。  
（６）上記実施例１では、弾性ロック片とレバーが係止している状態で、回動操作部が弾性ロック片を覆い隠すように配されるが、弾性ロック片は、コネクタ本体の外面において回動操作部と並んで露出してもよい。  
（７）上記実施例１では、弾性ロック片を電線カバーに形成したが、弾性ロック片は、コネクタハウジングに形成してもよい。  
（８）上記実施例１では、左右一対のロック解除操作部を設けたが、ロック解除操作部の数は、１つだけでもよく、３つ以上であってもよい。  
（９）上記実施例１では、レバーの回動に連動するスライダを設けたが、第１の発明は、スライダを有しないレバー式コネクタにも適用できる。
【００６３】
＜第２の発明に含まれる他の実施例＞
第２の発明は上記記述及び図面によって説明した実施例１に限定されるものではなく、例えば次のような実施例も第２の発明の技術的範囲に含まれる。  
（１）上記実施例１では、回動操作部の外面に、指当て面とロック解除操作部を配したが、ロック解除操作部を回動操作部の外面から外れた位置に配してもよい。  
（２）上記実施例１では、回動操作部に離脱用指掛け部と嵌合用指掛け部を形成したが、回動操作部は、離脱用指掛け部と嵌合用指掛け部のうち少なくとも一方の指掛け部を有しない形態であってもよい。  
（３）上記実施例１では、弾性ロック片とレバーが係止している状態で、ロック解除操作部が指当て面の貫通孔から突出するが、貫通孔を形成せず、ロック解除操作部を指当て面の外周縁に沿って配されるようにしてもよい。  
（４）上記実施例１では、ロック解除操作部が、レバーの回動方向に沿ったブレード状をなしているが、ロック解除操作部は、ブロック状に突出した形態であってもよい。  
（５）上記実施例１では、指当て面がレバーの回動方向に沿った略平面であるが、指当て面は、レバーの回動方向に対して大きく傾いた略平面や、曲面であってもよい。  
（６）上記実施例１では、弾性ロック片がレバーに係止している状態で、回動操作部が弾性ロック片を覆い隠すように配されるが、弾性ロック片は、コネクタ本体の外面において回動操作部と並んで露出してもよい。  
（７）上記実施例１では、弾性ロック片を電線カバーに形成したが、弾性ロック片は、コネクタハウジングに形成してもよい。  
（８）上記実施例１では、左右一対のロック解除操作部を設けたが、ロック解除操作部の数は、１つだけでもよく、３つ以上であってもよい。  
（９）上記実施例１では、レバーの回動に連動するスライダを設けたが、第２の発明は、スライダを有しないレバー式コネクタにも適用できる。
【００６４】
＜第３の発明に含まれる他の実施例＞
第３の発明は上記記述及び図面によって説明した実施例１に限定されるものではなく、例えば次のような実施例も第３の発明の技術的範囲に含まれる。  
（１）上記実施例１では、回動操作部の外面に、指当て面とロック解除操作部を配したが、ロック解除操作部を回動操作部の外面から外れた位置に配してもよい。  
（２）上記実施例１では、回動操作部に離脱用指掛け部と嵌合用指掛け部を形成したが、回動操作部は、離脱用指掛け部と嵌合用指掛け部のうち少なくとも一方の指掛け部を有しない形態であってもよい。  
（３）上記実施例１では、弾性ロック片とレバーが係止している状態で、ロック解除操作部が指当て面の貫通孔から突出するが、貫通孔を形成せず、ロック解除操作部を指当て面の外周縁に沿って配されるようにしてもよい。  
（４）上記実施例１では、弾性ロック片とレバーが係止している状態で、ロック解除操作部と指当て面がレバーの回動方向と交差する方向に隣り合うように配されるが、ロック解除操作部と指当て面は、レバーの回動方向に隣り合うように配されていてもよい。  
（５）上記実施例１では、指当て面がレバーの回動方向に沿った略平面であるが、指当て面は、レバーの回動方向に対して大きく傾いた略平面や、曲面であってもよい。  
（６）上記実施例１では、弾性ロック片がレバーに係止している状態で、回動操作部が弾性ロック片を覆い隠すように配されるが、弾性ロック片は、コネクタ本体の外面において回動操作部と並んで露出してもよい。  
（７）上記実施例１では、弾性ロック片を電線カバーに形成したが、弾性ロック片は、コネクタハウジングに形成してもよい。  
（８）上記実施例１では、左右一対のロック解除操作部を設けたが、ロック解除操作部の数は、１つだけでもよく、３つ以上であってもよい。  
（９）上記実施例１では、レバーの回動に連動するスライダを設けたが、第３の発明は、スライダを有しないレバー式コネクタにも適用できる。
【符号の説明】
【００６５】
Ａ…レバー式コネクタ
１０…コネクタ本体
３０…レバー
３２…レバーの基端部
３３…レバーの先端部
３４…回動操作部
５１…弾性ロック片
５３…ロック解除操作部
５８…回動操作部の外面
５９…指当て面
６０…貫通孔
【図１】
2018045930.tif 000003
【図２】
2018045930.tif 000004
【図３】
2018045930.tif 000005
【図４】
2018045930.tif 000006
【図５】
2018045930.tif 000007
【図６】
2018045930.tif 000008
【図７】
2018045930.tif 000009
【図８】
2018045930.tif 000010
【図９】
2018045930.tif 000011
【図１０】
2018045930.tif 000012
【図１１】
2018045930.tif 000013
【図１２】
2018045930.tif 000014
【図１３】
2018045930.tif 000015
【図１４】
2018045930.tif 000016
【図１５】
2018045930.tif 000017
【手続補正書】
【提出日】平成29年6月21日(2017.6.21)
【手続補正１】
【補正対象書類名】明細書
【補正対象項目名】００４４
【補正方法】変更
【補正の内容】
【００４４】
弾性ロック片５１の前面（外面）には、左右対称な一対のロック解除操作部５３が形成されている。一対のロック解除操作部５３は、上下方向（レバー３０が嵌合位置から初期位置側へ回動するときの回動方向に沿った方向）に長いブレード状（板状）をなし、弾性ロック片５１の外面から略直角に前方へ突出した形態である。一対のロック解除操作部５３の上下方向の形成範囲は、弾性ロック片５１のほぼ全長に亘っている。ロック解除操作部５３の板厚方向に視た形状（側面視形状）は、概ね台形をなしている。弾性ロック片５１からのロック解除操作部５３の突出寸法は、上下方向中央部領域で最大であり、上端側領域では上方に向かって次第に突出寸法が小さくなり、下端側領域では下方に向かって次第に突出寸法が小さくなる。
【手続補正２】
【補正対象書類名】明細書
【補正対象項目名】００５３
【補正方法】変更
【補正の内容】
【００５３】
レバー３０が嵌合位置にロックされた状態では、図５、６に示すように、回動操作部３４が、弾性ロック片５１のほぼ全体を覆い隠すように位置するので、弾性ロック片５１は、回動操作部３４により異物の干渉から保護される。また、図６，７に示すように、弾性ロック片５１から前方に突出する一対のロック解除操作部５３が、回動操作部３４の内面５６側から一対の貫通孔６０内に進入し、ロック解除操作部５３の突出端部が指当て面５９よりも前方へ突出した状態となる。回動操作部３４を前方から見ると、図５に示すように、一対のロック解除操作部５３が、回動操作部３４の外面５８のうち指当て面５９において露出している。また、一対のロック解除操作部５３と、指当て面５９を構成する中央部当て面５９Ｃ及び一対の側部当て面５９Ｓとが左右方向（レバー３０の回動方向と交差する方向）に交互に隣り合うように並ぶ。
【手続補正３】
【補正対象書類名】図面
【補正対象項目名】図６
【補正方法】変更
【補正の内容】
【図６】
2018045930.tif 000018
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
コネクタ本体と、
基端部が前記コネクタ本体に回動可能に支持され、先端部に回動操作用の回動操作部が形成されたレバーと、
前記回動操作部の外面に配され、回動操作のときに指を当てる指当て面と、
前記コネクタ本体に形成され、前記レバーに係止することで前記レバーを回動規制状態にロックする弾性ロック片と、
前記弾性ロック片に形成され、前記弾性ロック片を前記レバーから解離する方向へ押し操作するためのロック解除操作部とを備え、
前記弾性ロック片と前記レバーが係止している状態で、前記ロック解除操作部が前記レバーの前記外面に露出し、且つ前記ロック解除操作部と前記指当て面が、前記レバーの回動方向と交差する方向に隣り合うように配されていることを特徴とするレバー式コネクタ。
【請求項２】
前記ロック解除操作部が、前記レバーの回動方向に沿ったブレード状をなしていることを特徴とする請求項１記載のレバー式コネクタ。
【請求項３】
コネクタ本体と、
基端部が前記コネクタ本体に回動可能に支持され、先端部に回動操作用の回動操作部が形成されたレバーと、
前記回動操作部の外面に配され、回動操作のときに指を当てる指当て面と、
前記コネクタ本体に形成され、前記レバーに係止することで前記レバーを回動規制状態にロックする弾性ロック片と、
前記弾性ロック片に形成され、前記弾性ロック片を前記レバーから解離する方向へ押し操作するためのロック解除操作部とを備え、
前記弾性ロック片と前記レバーが係止している状態で、前記ロック解除操作部が前記レバーの前記外面に露出しており、
前記ロック解除操作部が、前記レバーの回動方向に沿ったブレード状をなしていることを特徴とするレバー式コネクタ。
【請求項４】
前記弾性ロック片と前記レバーが係止している状態では、前記ロック解除操作部と前記指当て面が、前記レバーの回動方向と交差する方向に隣り合うように配されていることを特徴とする請求項３記載のレバー式コネクタ。
【請求項５】
前記指当て面が前記レバーの回動方向に沿った略平面であることを特徴とする請求項２ないし請求項４のいずれか１項記載のレバー式コネクタ。
【請求項６】
前記弾性ロック片と前記レバーが係止している状態では、前記ロック解除操作部が、前記指当て面に開口する貫通孔から突出していることを特徴とする請求項１ないし請求項５のいずれか１項記載のレバー式コネクタ。
【請求項７】
前記弾性ロック片と前記レバーが係止している状態では、前記回動操作部が前記弾性ロック片を覆い隠すように配されることを特徴とする請求項１ないし請求項６のいずれか１項に記載のレバー式コネクタ。
【手続補正２】
【補正対象書類名】明細書
【補正対象項目名】０００７
【補正方法】変更
【補正の内容】
【０００７】
第１（Ａ）の発明は、
コネクタ本体と、
基端部が前記コネクタ本体に回動可能に支持され、先端部に回動操作用の回動操作部が形成されたレバーと、
前記回動操作部の外面に配され、回動操作のときに指を当てる指当て面と、
前記コネクタ本体に形成され、前記レバーに係止することで前記レバーを回動規制状態にロックする弾性ロック片と、
前記弾性ロック片に形成され、前記弾性ロック片を前記レバーから解離する方向へ押し操作するためのロック解除操作部とを備え、
前記弾性ロック片と前記レバーが係止している状態で、前記ロック解除操作部が前記レバーの前記外面に露出し、且つ前記ロック解除操作部と前記指当て面が、前記レバーの回動方向と交差する方向に隣り合うように配されているところに特徴を有する。
第１（Ｂ）の発明は、
コネクタ本体と、
基端部が前記コネクタ本体に回動可能に支持され、先端部に回動操作用の回動操作部が形成されたレバーと、
前記回動操作部の外面に配され、回動操作のときに指を当てる指当て面と、
前記コネクタ本体に形成され、前記レバーに係止することで前記レバーを回動規制状態にロックする弾性ロック片と、
前記弾性ロック片に形成され、前記弾性ロック片を前記レバーから解離する方向へ押し操作するためのロック解除操作部とを備え、
前記弾性ロック片と前記レバーが係止している状態で、前記ロック解除操作部が前記レバーの前記外面に露出しており、
前記ロック解除操作部が、前記レバーの回動方向に沿ったブレード状をなしているところに特徴を有する。
【手続補正３】
【補正対象書類名】明細書
【補正対象項目名】００１０
【補正方法】変更
【補正の内容】
【００１０】
第１の発明は、ロック解除操作部が、指当て面と同じく回動操作部の外面に配されるので、指を指当て面に当てたまま、その指でロック解除操作部を押すことが可能である。ロックを解除する操作からレバーを回動させる操作へ移行する際に、ロック解除操作部を押す力が緩む虞がないので、作業性に優れている。また、第１（Ａ）の発明によれば、指を指当て面に当てたまま、その指でロック解除操作部を押すことが可能である。ロックを解除する操作からレバーを回動させる操作へ移行する際に、ロック解除操作部を押す力が緩む虞がないので、確実にロックが解除される。また、第１（Ｂ）の発明によれば、１本の指でロック解除操作部を押し操作しながらレバーを回動させる際に、ブレード状のロック解除操作部と指との間の摩擦抵抗が小さい。ロック解除操作部を押している指を、押した状態のままで回動方向へ滑らせることができるので、作業性がよい。
【手続補正４】
【補正対象書類名】明細書
【補正対象項目名】００１４
【補正方法】変更
【補正の内容】
【００１４】
第１（Ａ）及び（Ｂ）の発明は、前記弾性ロック片と前記レバーが係止している状態では、前記ロック解除操作部が、前記指当て面に開口する貫通孔から突出していてもよい。この構成によれば、ロック解除操作部が指当て面に隣接しているので、ロック解除操作部を押す力が緩み難く、確実にロックが解除される。
【手続補正５】
【補正対象書類名】明細書
【補正対象項目名】００１５
【補正方法】変更
【補正の内容】
【００１５】
第１（Ｂ）の発明は、前記弾性ロック片と前記レバーが係止している状態では、前記ロック解除操作部と前記指当て面が、前記レバーの回動方向と交差する方向に隣り合うように配されていてもよい。この構成によれば、指を指当て面に当てたまま、その指でロック解除操作部を押すことが可能である。ロックを解除する操作からレバーを回動させる操作へ移行する際に、ロック解除操作部を押す力が緩む虞がないので、確実にロックが解除される。
【手続補正６】
【補正対象書類名】明細書
【補正対象項目名】００１６
【補正方法】変更
【補正の内容】
【００１６】
第１（Ａ）の発明は、前記ロック解除操作部が、前記レバーの回動方向に沿ったブレード状をなしていてもよい。この構成によれば、１本の指でロック解除操作部を押し操作しながらレバーを回動させる際に、ブレード状のロック解除操作部と指との間の摩擦抵抗が小さい。ロック解除操作部を押している指を、押した状態のままで回動方向へ滑らせることができるので、作業性がよい。
【手続補正７】
【補正対象書類名】明細書
【補正対象項目名】００１７
【補正方法】変更
【補正の内容】
【００１７】
第１（Ａ）及び（Ｂ）の発明は、前記指当て面が前記レバーの回動方向に沿った略平面であってもよい。この構成によれば、指当て面は、ブレード状のロック解除操作部に比べて摩擦抵抗が大きくて指が滑り難いので、レバーの回動を開始するときの作業性がよい。
【手続補正８】
【補正対象書類名】明細書
【補正対象項目名】００１８
【補正方法】変更
【補正の内容】
【００１８】
第１（Ａ）及び（Ｂ）の発明は、前記弾性ロック片と前記レバーが係止している状態では、前記回動操作部が前記弾性ロック片を覆い隠すように配されてもよい。この構成によれば、弾性ロック片を異物の干渉から保護できる。